(57)【要約】【課題】時分割多元接続通信方式を用いた基地局との待ち受け動作中に短時間内で最も通信状態の良好な符号分割多元接続通信方式を用いた基地局の検索及び検出可能な移動通信システムを提供する。【解決手段】デュアルモード対応移動局１は時分割多元接続用基地局２が送信するページングチャネル２０１を定期的に受信し、時分割多元接続用基地局２との間で待ち受け動作を実施している時、ＧＰＳ衛星局４が送信する測位情報４０１を受信して自端末の現在地の緯度・経度情報を求める。デュアルモード対応移動局１はその位置情報を基にデータベース１８を検索し、自端末の近傍に符号分割多元接続用基地局３が存在する場合、データベース１８に格納されている基地局の拡散符号情報を用いて符号分割多元接続用基地局３の通信状態を調べ、通信状態がよければ、通信する基地局を変更する動作を開始する。【選択図】　　　図１
2004032337.tif 000002
【特許請求の範囲】
【請求項１】
時分割多元接続方式を用いた第１の基地局と、符号分割多元接続方式を用いた第２の基地局と、前記第１及び第２の基地局との間で通信するために前記時分割多元接続方式の第１の通信手段と前記符号分割多元接続方式の第２の通信手段とを含むデュアルモード対応移動局とからなる移動通信システムであって、前記デュアルモード対応移動局が前記第１の基地局との間で待ち受け動作を実施している時に自端末近傍の前記第２の基地局を検索する手段と、その検索された前記第２の基地局の通信状態を検出する手段と、検出した前記第２の基地局の通信状態が前記第１の基地局の通信状態よりも良い場合に前記デュアルモード対応移動局が通信する基地局を変更する手段とを前記デュアルモード対応移動局に有することを特徴とする移動通信システム。
【請求項２】
前記第２の基地局を検索する手段は、自端末の現在位置を取得する位置情報取得手段と、予め前記第２の基地局の位置情報を蓄積するデータベースと、前記位置情報取得手段で取得された位置情報を基に前記データベースから自端末近傍の前記第２の基地局を検索する検索手段とを含むことを特徴とする請求項１記載の移動通信システム。
【請求項３】
前記位置情報取得手段は、ＧＰＳ（Ｇｌｏｂａｌ　Ｐｏｓｉｔｉｏｎｉｎｇ　Ｓｙｓｔｅｍ）衛星からの測位情報を基に自端末の緯度・経度情報を取得することを特徴とする請求項２記載の移動通信システム。
【請求項４】
前記第２の基地局の通信状態を検出する手段は、前記データベースに前記第２の基地局の位置情報とともに蓄積された拡散符号情報を用いて前記第２の基地局の通信状態を検出することを特徴とする請求項２または請求項３記載の移動通信システム。
【請求項５】
時分割多元接続方式を用いた第１の基地局と、符号分割多元接続方式を用いた第２の基地局との間で通信するために前記時分割多元接続方式の第１の通信手段と前記符号分割多元接続方式の第２の通信手段とを含むデュアルモード対応移動局であって、自端末が前記第１の基地局との間で待ち受け動作を実施している時に自端末近傍の前記第２の基地局を検索する手段と、その検索された前記第２の基地局の通信状態を検出する手段と、検出した前記第２の基地局の通信状態が前記第１の基地局の通信状態よりも良い場合に自端末が通信する基地局を変更する手段とを有することを特徴とするデュアルモード対応移動局。
【請求項６】
前記第２の基地局を検索する手段は、自端末の現在位置を取得する位置情報取得手段と、予め前記第２の基地局の位置情報を蓄積するデータベースと、前記位置情報取得手段で取得された位置情報を基に前記データベースから自端末近傍の前記第２の基地局を検索する検索手段とを含むことを特徴とする請求項５記載のデュアルモード対応移動局。
【請求項７】
前記位置情報取得手段は、ＧＰＳ（Ｇｌｏｂａｌ　Ｐｏｓｉｔｉｏｎｉｎｇ　Ｓｙｓｔｅｍ）衛星からの測位情報を基に自端末の緯度・経度情報を取得することを特徴とする請求項６記載のデュアルモード対応移動局。
【請求項８】
前記第２の基地局の通信状態を検出する手段は、前記データベースに前記第２の基地局の位置情報とともに蓄積された拡散符号情報を用いて前記第２の基地局の通信状態を検出することを特徴とする請求項６または請求項７記載のデュアルモード対応移動局。
【請求項９】
時分割多元接続方式を用いた第１の基地局と、符号分割多元接続方式を用いた第２の基地局と、前記第１及び第２の基地局との間で通信するために前記時分割多元接続方式の第１の通信手段と前記符号分割多元接続方式の第２の通信手段とを含むデュアルモード対応移動局とからなる移動通信システムの基地局モニタ方法であって、前記デュアルモード対応移動局が前記第１の基地局との間で待ち受け動作を実施している時に自端末近傍の前記第２の基地局を検索するステップと、その検索された前記第２の基地局の通信状態を検出するステップと、検出した前記第２の基地局の通信状態が前記第１の基地局の通信状態よりも良い場合に前記デュアルモード対応移動局が通信する基地局を変更するステップとを前記デュアルモード対応移動局に有することを特徴とする基地局モニタ方法。
【請求項１０】
前記第２の基地局を検索するステップは、自端末の現在位置を取得するステップと、その取得された位置情報を基に予め前記第２の基地局の位置情報を蓄積するデータベースから自端末近傍の前記第２の基地局を検索するステップとを含むことを特徴とする請求項９記載の基地局モニタ方法。
【請求項１１】
前記自端末の現在位置を取得するステップは、ＧＰＳ（Ｇｌｏｂａｌ　Ｐｏｓｉｔｉｏｎｉｎｇ　Ｓｙｓｔｅｍ）衛星からの測位情報を基に自端末の緯度・経度情報を取得することを特徴とする請求項１０記載の基地局モニタ方法。
【請求項１２】
前記第２の基地局の通信状態を検出するステップは、前記データベースに前記第２の基地局の位置情報とともに蓄積された拡散符号情報を用いて前記第２の基地局の通信状態を検出することを特徴とする請求項１０または請求項１１記載の基地局モニタ方法。
【請求項１３】
時分割多元接続方式を用いた第１の基地局と、符号分割多元接続方式を用いた第２の基地局と、前記第１及び第２の基地局との間で通信するために前記時分割多元接続方式の第１の通信手段と前記符号分割多元接続方式の第２の通信手段とを含むデュアルモード対応移動局とからなる移動通信システムの基地局モニタ方法のプログラムであって、前記デュアルモード対応移動局のコンピュータに、自端末が前記第１の基地局との間で待ち受け動作を実施している時に自端末近傍の前記第２の基地局を検索する処理と、その検索された前記第２の基地局の通信状態を検出する処理と、検出した前記第２の基地局の通信状態が前記第１の基地局の通信状態よりも良い場合に自端末が通信する基地局を変更する処理とを実行させるためのプログラム。
【発明の詳細な説明】
【０００１】
【発明の属する技術分野】
本発明は移動通信システム、デュアルモード対応移動局及びそれに用いる基地局モニタ方法並びにそのプログラムに関し、特に符号分割多元接続方式及び時分割多元接続方式の２つの通信方式に対応したデュアルモード対応移動局に関する。
【０００２】
【従来の技術】
近年、携帯電話に代表される移動体通信においては、その利便性によって大幅に利用者が増加しており、移動体通信に用いられる通信方式についても様々な方式が提案されている。その中で、現在、最も脚光を浴びている通信方式が時分割多元接続方式及び符号分割多元接続方式の２つの通信方式である。
【０００３】
時分割多元接続方式は伝送に用いるチャネルを時間で管理し、伝送するチャネルを時間単位で利用者に割り当てる方式であり、符号分割多元接続方式は伝送に用いるチャネルを符号で管理し、伝送するチャネルを符号単位で利用者に割り当てる方式である。
【０００４】
一般に、従来の移動体通信における移動局では、これら個々の通信方式にのみ対応した移動局が主流であるが、複数の通信方式が提案されている昨今、１台の移動局で、これら複数の通信方式に対応したデュアルモード対応移動局の実現が要求されている。
【０００５】
次に、移動局の待ち受け動作及び基地局モニタ動作について説明する。一般に、移動局の待ち受け動作とは、移動局と基地局との間で音声信号のやり取りは勿論のこと、文字や画像等のデータのやり取りも行われていない状態における移動局の動作のことである。移動局はこの待ち受け動作中、基地局から送信されるページングチャネルを定期的に受信し、通信要求が発信されていないかを確認する。
【０００６】
通信要求が発信されていた場合には、通信要求にしたがって基地局と音声や画像等の信号のやり取りを開始する。また、通信要求が発信されていない場合には、一定時間が経過した後、再びページングチャネルを受信し、通信要求の有無を確認するという動作を繰り返す。
【０００７】
これに対し、移動局の基地局モニタ動作とは、移動局が、現在通信している基地局の他に、移動局の周辺に存在する基地局の通信状態を定期的に調査し、現在通信している基地局の通信状態と移動局の周辺に存在する基地局の通信状態とを比較し、移動局の周辺に存在する基地局の通信状態が、現在通信している基地局の通信状態より良い場合に通信する基地局を変更するという動作のことである。但し、現在通信を行っている基地局の通信状態が、移動局の周辺に存在する基地局の通信状態よりも良い場合には、基地局の変更は実施しない。
【０００８】
【発明が解決しようとする課題】
上述した待ち受け動作及び基地局モニタ動作を、符号分割多元接続方式及び時分割多元接続方式の２つの通信方式に対応したデュアルモード対応移動局で実現した場合の問題点について図５を用いて説明する。
【０００９】
図５は従来のデュアルモード対応移動局の一構成例を示しており、デュアルモード対応移動局５はデュアルモード対応アンテナ５１と、アンテナ切換器５２と、符号分割多元接続通信機５３と、時分割多元接続通信機５４と、制御部５５とから構成されている。
【００１０】
図５に示す従来のデュアルモード対応移動局５では、移動局が符号分割多元接続方式を用いた基地局と通信を行う場合に、デュアルモード対応アンテナ５１が符号分割多元接続通信機５３と接続されるようにアンテナ切換器５２を制御し、時分割多元接続方式を用いた基地局と通信を行う場合に、デュアルモード対応アンテナ５１が時分割多元接続通信機５４に接続されるようにアンテナ切換器５２を制御する。
【００１１】
このデュアルモード対応移動局５が時分割多元接続方式を用いた基地局と待ち受け動作を行っている最中に、符号分割多元接続方式を用いた基地局の通信状態を調査する基地局モニタ動作を実行する場合について考える。
【００１２】
デュアルモード対応移動局５は時分割多元接続方式を用いた基地局に対して待ち受け動作を行っているので、定期的にデュアルモード対応アンテナ５１がアンテナ切換器５２を介して時分割多元接続通信機５４に接続される。
【００１３】
デュアルモード対応移動局５が時分割多元接続方式を用いた基地局と待ち受け動作を行っている最中に、符号分割多元接続方式を用いた基地局の通信状態を調査する基地局モニタ動作を実行する場合には、デュアルモード対応アンテナ５１が時分割多元通信器５４に接続されているので、アンテナ切換器５２を制御してデュアルモード対応アンテナ５１が符号分割多元接続通信機５３に接続されるように切換え制御を実施しなければならない。
【００１４】
但し、時分割多元接続方式を用いた基地局との待ち受け動作中は、時分割多元接続方式を用いた基地局が送信するページングチャネルを定期的に受信しなければならないため、定期的にデュアルモード対応アンテナ５１が時分割多元接続通信機５４に接続されるようにアンテナ切換器５２を制御しなければならない。
【００１５】
すなわち、デュアルモード対応移動局５は符号分割多元接続方式を用いた基地局との間で通信を実施する時間と、時分割多元接続方式を用いた基地局との間で通信を実施する時間とを管理している。
【００１６】
待ち受け動作で時分割多元接続方式を用いた基地局から発信されるページングチャネルを受信しなければならない時間にはデュアルモード対応アンテナ５１が時分割多元接続通信機５４と接続されるようにアンテナ切換器５２を制御し、基地局モニタ動作で符号分割多元接続方式を用いた基地局の通信状態を調査しなければならない時間にはデュアルモード対応アンテナ５１が符号分割多元接続通信機５３と接続されるようにアンテナ切換器５２を制御しなければならない。
【００１７】
ところが、符号分割多元接続方式においては、その通信方式の特徴から基地局モニタ動作に時間が掛かるため、デュアルモード対応移動局５が符号分割多元接続方式を用いた基地局と通信している最中に、時分割多元接続方式を用いた基地局との待ち受け動作を実行する時間になってしまい、符号分割多元接続通信機５３が符号分割多元接続方式を用いた基地局と通信中であるにもかかわらず、デュアルモード対応アンテナ５１が時分割多元接続通信機５４に切換えられてしまうという問題が生じる。
【００１８】
上述した符号分割多元接続方式を用いた基地局の通信状態を調査する基地局モニタ動作に時間がかかる理由について以下説明する。符号分割多元接続方式は直交した拡散符号（擬似乱数符号）を各移動局に割り当て、各移動局を識別する通信方式であり、スペクトラム拡散技術を基地局と移動局との通信に利用している。
【００１９】
スペクトラム拡散は移動局に割り当てられた擬似乱数符号を通信に用いる信号のスペクトラムに掛け合わせ、通信に用いるスペクトラムを広帯域に拡散し、通信する方法であり、移動局が拡散された信号を受信する場合には、送信側で掛け合わせた擬似乱数符号と同一、かつ、同一タイミングで受信した信号に掛け合わせないと受信した信号を復調することができないという特徴を有している。
【００２０】
スペクトラムを拡散する際に使用される擬似乱数符号は、符号系列の先頭で自己相関が最大になるという特徴、及び符号長と符号数とが比例するという特徴を有した符号が選択され、受信機は受信した信号から擬似乱数符号の先頭を検出することで、受信信号に擬似乱数符号が掛け合わされたタイミングを検出することが可能となる。
【００２１】
すなわち、受信機は受信信号と擬似乱数符号との相互相関を取り、擬似乱数符号の先頭を検出しなければ、受信信号を復調することができないのである。また、通信の秘匿性及び通信容量の確保という点から考えた場合、擬似乱数符号の符号長及び符号数を増加させれば、通信における秘匿性が高まるだけでなく、通信容量を増加させることが可能になる。その反面、受信機では拡散符号の符号長が長くなるだけでなく、符号の種類も増加するので、擬似乱数符号の先頭の検出に時間が掛かるという別の問題が生じる。
【００２２】
従来の符号分割多元接続方式を用いた基地局モニタ動作においては、上記の擬似乱数符号の先頭を検出するという動作を、デュアルモード対応移動局周辺の受信可能な全ての基地局に対して実施し、受信レベルを算出し、最も近傍にある基地局を検索するために時間が掛かってしまうのである。
【００２３】
上述したように、符号分割多元接続方式を用いた基地局の通信状態を調査する基地局モニタ動作には時間がかかるため、符号分割多元接続方式を用いた基地局の通信状態を調査している最中にもかかわらずデュアルモード対応アンテナ５１が切換わってしまうといった問題が生じるのである。
【００２４】
そこで、本発明の目的は上記の問題点を解消し、時分割多元接続通信方式を用いた基地局との待ち受け動作中に短時間内で最も通信状態の良好な符号分割多元接続通信方式を用いた基地局の検索及び検出することができる移動通信システム、デュアルモード対応移動局及びそれに用いる基地局モニタ方法並びにそのプログラムを提供することにある。
【００２５】
【課題を解決するための手段】
本発明による移動通信システムは、時分割多元接続方式を用いた第１の基地局と、符号分割多元接続方式を用いた第２の基地局と、前記第１及び第２の基地局との間で通信するために前記時分割多元接続方式の第１の通信手段と前記符号分割多元接続方式の第２の通信手段とを含むデュアルモード対応移動局とからなる移動通信システムであって、前記デュアルモード対応移動局が前記第１の基地局との間で待ち受け動作を実施している時に自端末近傍の前記第２の基地局を検索する手段と、その検索された前記第２の基地局の通信状態を検出する手段と、検出した前記第２の基地局の通信状態が前記第１の基地局の通信状態よりも良い場合に前記デュアルモード対応移動局が通信する基地局を変更する手段とを前記デュアルモード対応移動局に備えている。
【００２６】
本発明によるデュアルモード対応移動局は、時分割多元接続方式を用いた第１の基地局と、符号分割多元接続方式を用いた第２の基地局との間で通信するために前記時分割多元接続方式の第１の通信手段と前記符号分割多元接続方式の第２の通信手段とを含むデュアルモード対応移動局であって、自端末が前記第１の基地局との間で待ち受け動作を実施している時に自端末近傍の前記第２の基地局を検索する手段と、その検索された前記第２の基地局の通信状態を検出する手段と、検出した前記第２の基地局の通信状態が前記第１の基地局の通信状態よりも良い場合に自端末が通信する基地局を変更する手段とを備えている。
【００２７】
本発明による基地局モニタ方法は、時分割多元接続方式を用いた第１の基地局と、符号分割多元接続方式を用いた第２の基地局と、前記第１及び第２の基地局との間で通信するために前記時分割多元接続方式の第１の通信手段と前記符号分割多元接続方式の第２の通信手段とを含むデュアルモード対応移動局とからなる移動通信システムの基地局モニタ方法であって、前記デュアルモード対応移動局が前記第１の基地局との間で待ち受け動作を実施している時に自端末近傍の前記第２の基地局を検索するステップと、その検索された前記第２の基地局の通信状態を検出するステップと、検出した前記第２の基地局の通信状態が前記第１の基地局の通信状態よりも良い場合に前記デュアルモード対応移動局が通信する基地局を変更するステップとを前記デュアルモード対応移動局に備えている。
【００２８】
本発明による基地局モニタ方法のプログラムは、時分割多元接続方式を用いた第１の基地局と、符号分割多元接続方式を用いた第２の基地局と、前記第１及び第２の基地局との間で通信するために前記時分割多元接続方式の第１の通信手段と前記符号分割多元接続方式の第２の通信手段とを含むデュアルモード対応移動局とからなる移動通信システムの基地局モニタ方法のプログラムであって、前記デュアルモード対応移動局のコンピュータに、自端末が前記第１の基地局との間で待ち受け動作を実施している時に自端末近傍の前記第２の基地局を検索する処理と、その検索された前記第２の基地局の通信状態を検出する処理と、検出した前記第２の基地局の通信状態が前記第１の基地局の通信状態よりも良い場合に自端末が通信する基地局を変更する処理とを実行させている。
【００２９】
すなわち、本発明のデュアルモード対応移動局は、符号分割多元接続通信方式及び時分割多元接続通信方式の複数の通信方式に対応している移動局に関し、特にその移動局が時分割多元接続通信方式を用いた基地局と待ち受け動作を実施している最中に、符号分割多元接続通信方式を用いた基地局の通信状態を調査する基地局モニタ動作の制御を実施する移動局に関する。
【００３０】
時分割多元接続通信方式を用いた基地局との待ち受け動作とは、デュアルモード対応移動局が、時分割多元接続通信方式を用いた基地局から送信されるページングチャネルを定期的に受信している動作を表し、符号分割多元接続通信方式を用いた基地局の通信状態を調査する基地局モニタ動作とは、デュアルモード対応移動局が、自端末の近傍に存在する符号分割多元接続通信方式を用いた基地局の通信状態を調査する動作を表している。
【００３１】
本発明のデュアルモード対応移動局は、時分割多元接続通信方式を用いた基地局と待ち受け動作を実施している最中に、自端末の近傍に存在する符号分割多元接続通信方式を用いた基地局を検索する場合、符号分割多元接続通信方式を用いた基地局の緯度・経度情報を格納しているデータベースと、衛星を利用した測位システムとの通信を行うＧＰＳ（Ｇｌｏｂａｌ　Ｐｏｓｉｔｉｏｎｉｎｇ　Ｓｙｓｔｅｍ）受信機を設け、データベースに格納されている基地局の緯度・経度情報とＧＰＳ受信機から得られた緯度・経度情報とを照合し、自端末の現在地近傍に存在する符号分割多元接続通信方式を用いる基地局を容易に検索可能としている。
【００３２】
より具体的に説明すると、本発明の移動通信システムは、デュアルモード対応移動局と、時分割多元接続用基地局と、符号分割多元接続用基地局と、ＧＰＳ衛星局とから構成されている。また、時分割多元接続用基地局から送信される信号をページングチャネルとし、ＧＰＳ衛星局が送信する信号を測位情報とする。
【００３３】
ここで、本発明のデュアルモード対応移動局はデュアルモード対応アンテナと、アンテナ切換器と、符号分割多元接続通信機と、時分割多元接続通信機と、ＧＰＳ受信機と、制御部と、データベースとから構成されている。
【００３４】
デュアルモード対応移動局は時分割多元接続用基地局との間で待ち受け動作を実施しているので、時分割多元接続用基地局が送信するページングチャネルを定期的に受信している。デュアルモード対応移動局は時分割多元接続用基地局と待ち受け動作を実施している最中に、符号分割多元接続用基地局の通信状態を調査する場合、ＧＰＳ衛星局が送信する測位情報を受信し、自端末の現在地の緯度・経度情報を求める。
【００３５】
次に、デュアルモード対応移動局はデータベースに格納されている符号分割多元接続方式を用いた基地局の緯度・経度情報を検索し、近傍に符号分割多元接続用基地局が存在するかどうかを調査する。
【００３６】
近傍に符号分割多元接続用基地局が存在する場合、デュアルモード対応移動局はデータベースに基地局の緯度・経度情報と共に格納されている基地局の拡散符号情報を用いて、該符号分割多元接続用基地局の通信状態を調べ、現在通信を行っている時分割多元接続用基地局の通信状態と比較し、近傍に存在する符号分割多元接続用基地局の通信状態のほうが良い場合には、通信する基地局を変更する動作を開始する。
【００３７】
近傍に符号分割多元接続用基地局が存在しない場合、デュアルモード対応移動局は基地局モニタ動作を実施しない。また、基地局の近傍に符号分割多元接続用基地局が存在した場合でも、その符号分割多元接続用基地局の通信状態が、現在通信を行っている時分割多元接続用基地局の通信状態より劣っている場合には、基地局の変更を実施しない。
【００３８】
これによって、本発明のデュアルモード対応移動局では、時分割多元接続通信方式を用いた基地局との待ち受け動作中に短時間内で最も通信状態の良好な符号分割多元接続通信方式を用いた基地局の検索及び検出することが可能となる。
【００３９】
【発明の実施の形態】
次に、本発明の実施例について図面を参照して説明する。図１は本発明の一実施例による移動通信システムの構成を示すブロック図である。図１において、本発明の一実施例による移動通信システムはデュアルモード対応移動局１と、時分割多元接続用基地局２と、符号分割多元接続用基地局３と、ＧＰＳ（Ｇｌｏｂａｌ　Ｐｏｓｉｔｉｏｎｉｎｇ　Ｓｙｓｔｅｍ）衛星局４とから構成されている。
【００４０】
この移動通信システムにおいて、時分割多元接続用基地局２からデュアルモード対応移動局１に送信される信号をページングチャネル２０１とし、ＧＰＳ衛星局４がデュアルモード対応移動局１に送信する信号を測位情報４０１とする。
【００４１】
図２は図１のデュアルモード対応移動局１の構成を示すブロック図である。図２において、デュアルモード対応移動局１はデュアルモード対応アンテナ１１と、アンテナ切換器１２と、符号分割多元接続通信機１３と、時分割多元接続通信機１４と、ＧＰＳ受信用アンテナ１５と、ＧＰＳ受信機１６と、制御部１７と、データベース１８と、記録媒体１９とから構成されている。尚、記録媒体１９にはデュアルモード対応移動局１の主たる構成要素をなすコンピュータで実行されるプログラムが格納されており、コンピュータが記録媒体１９のプログラムを実行することで、デュアルモード対応移動局１の各部の処理が実現される。
【００４２】
デュアルモード対応アンテナ１１は符号分割多元接続用基地局３との通信及び時分割多元接続用基地局２との通信を行う際に用いられるアンテナであり、アンテナ切換器１２に接続される。アンテナ切換器１２は符号分割多元接続通信機１３に接続されるとともに、時分割多元接続通信機１４に接続され、符号分割多元接続通信機１３及び時分割多元接続通信機１４は制御部１７に接続される。
【００４３】
ＧＰＳ受信用アンテナ１５はデュアルモード対応移動局１がＧＰＳ衛星局４から送信されてくる測位情報４０１を受信するアンテナで、ＧＰＳ受信機１６に接続されている。ＧＰＳ受信機１６は制御部１７に接続されている。
【００４４】
また、データベース１８はデュアルモード対応移動局１に着脱自在となっており、符号分割多元接続用基地局３の位置を表す緯度・経度情報と符号分割多元接続用基地局３が用いている拡散符号とが格納されており、制御部１７に接続されている。
【００４５】
図１に示すように、本実施例では、デュアルモード対応移動局１が時分割多元接続用基地局２から送信されてくるページングチャネル２０１を定期的に受信し、時分割多元接続用基地局２との待ち受け動作を実施する。また、デュアルモード対応移動局１はＧＰＳ衛星局４から送信されてくる測位情報４０１を受信し、受信した測位情報４０１を基に現在地の緯度・経度情報を求める。
【００４６】
デュアルモード対応移動局１は時分割多元接続用基地局２が送信するページングチャネル２０１を定期的に受信し、時分割多元接続用基地局２との間で待ち受け動作を実施している。デュアルモード対応移動局１は時分割多元接続用基地局２と待ち受け動作を実施している最中に、符号分割多元接続用基地局３の通信状態を調査する際、ＧＰＳ衛星局４が送信する測位情報４０１を受信して自端末の現在地の緯度・経度情報を求める。
【００４７】
次に、デュアルモード対応移動局１はデータベース１８に格納されている符号分割多元接続方式を用いた基地局の緯度・経度情報を検索し、自端末の近傍に符号分割多元接続用基地局３が存在するかどうかを調査する。自端末の近傍に符号分割多元接続用基地局３が存在する場合、デュアルモード対応移動局１はデータベース１８に基地局の緯度・経度情報と共に格納されている基地局の拡散符号情報を用いて、その符号分割多元接続用基地局３の通信状態を調べる。
【００４８】
デュアルモード対応移動局１は符号分割多元接続用基地局３の通信状態を、現在通信を行っている時分割多元接続用基地局２の通信状態と比較し、符号分割多元接続用基地局３の通信状態のほうが良い場合、通信する基地局を変更する動作を開始する。
【００４９】
デュアルモード対応移動局１は自端末の近傍に符号分割多元接続用基地局３が存在しない場合、基地局モニタ動作を実施しない。また、デュアルモード対応移動局１は自端末の近傍に符号分割多元接続用基地局３が存在した場合でも、その符号分割多元接続用基地局３の通信状態が現在通信を行っている時分割多元接続用基地局２の通信状態より劣っている場合、基地局の変更を実施しない。
【００５０】
図３は図１のデータベース１８の構成例を示す図である。これら図１〜図３を参照して本実施例による移動通信システムの動作について説明する。まず、デュアルモード対応移動局１が時分割多元接続方式を用いた時分割多元接続用基地局２と待ち受け動作をしている場合の動作について説明する。
【００５１】
時分割多元接続用基地局２から送信されたページングチャネル２０１はデュアルモード対応アンテナ１１で受信され、アンテナ切換器１２を介して時分割多元接続通信機１４に入力される。時分割多元接続通信機１４では受信したページングチャネル２０１を復調し、復調結果を制御部１７に対して出力する。制御部１７では入力されたページングチャネル２０１の復調結果から通信要求の有無を確認し、通信要求があった場合、時分割多元接続用基地局２からの通信要求にしたがって、音声や画像等のデータ通信を開始する。
【００５２】
これに対し、時分割多元接続用基地局２から通信要求がなかった場合、デュアルモード対応移動局１は一定時間経過の後、再び上述したページングチャネル２０１を受信する動作を実行し、通信要求の有無を確認する待ち受け動作を繰り返す。
【００５３】
待ち受け動作によるページングチャネル２０１の受信タイミングと基地局モニタ動作による符号分割多元接続通信機１３の起動タイミングとは一致しないものとして、デュアルモード対応移動局１が時分割多元接続方式を用いた時分割多元接続用基地局２と待ち受け動作を実施している最中に、符号分割多元接続用基地局３の通信状態を調査する基地局モニタ動作を実施する場合について説明する。
【００５４】
この場合、デュアルモード対応移動局１は時分割多元接続用基地局２との待ち受け動作を終了し、デュアルモード対応移動局１が次のページングチャネル２０１を受信するまでの間に、予め決められたタイミングで制御部１７から符号分割多元接続用基地局３の通信状態を調査する基地局モニタ動作を開始する基地局モニタ動作開始コマンドが発信される。
【００５５】
基地局モニタ開始コマンドが発信されると、ＧＰＳ受信機１６がＧＰＳ受信用アンテナ１５を用いて、ＧＰＳ衛星局４から送信されてくる測位情報４０１を受信する。受信された測位情報４０１はＧＰＳ受信機１６で処理され、受信された測位情報４０１からデュアルモード対応移動局１の現在地の緯度・経度情報が算出され、デュアルモード対応移動局１の緯度・経度情報が制御部１７へと入力される。
【００５６】
制御部１７はデータベース１８に格納されている符号分割多元接続方式を用いた基地局の緯度・経度情報を検索し、ＧＰＳ受信機１６から制御部１７に入力された緯度・経度情報に対して、自端末の近傍に符号分割多元接続用基地局３が存在するかを調査する。
【００５７】
データベース１８には、図３に示すように、符号分割多元接続を用いた複数の基地局（ＢＳ１〜ＢＳｎ）の位置情報を表す緯度・経度にあわせて、それら複数の基地局（ＢＳ１〜ＢＳｎ）が通信に用いる信号を拡散する際に用いる拡散符号の情報（Ｃ１〜Ｃｎ）が格納されている。
【００５８】
デュアルモード対応移動局１の近傍に符号分割多元接続用基地局３が存在する場合、制御部１７はデータベース１８からその符号分割多元接続用基地局３が通信に用いる信号を拡散する際に使用する拡散符号の情報（Ｃ１〜Ｃｎ）を取出す。
【００５９】
その後、制御部１７は符号分割多元接続通信機１３を起動し、データベース１８から取出した符号情報を符号分割多元接続通信機１３に設定し、符号分割多元接続通信機１３を用いて符号分割多元接続用基地局３の通信状態を調査する。基地局モニタ動作の結果、近傍に存在する符号分割多元接続用基地局３の通信状態が待ち受け動作を実施している時分割多元接続用基地局２の通信状態より良好な場合、デュアルモード対応移動局１は時分割多元接続用基地局２との待ち受け動作から符号分割多元接続用基地局３との待ち受け動作に切換える。
【００６０】
これに対し、デュアルモード対応移動局１の近傍に符号分割多元接続用基地局３が存在しない場合、デュアルモード対応移動局１は上述した基地局モニタ動作を実行せず、時分割多元接続用基地局２の待ち受け動作を継続する。
【００６１】
図４は図１のデュアルモード対応移動局１の動作を示すフローチャートである。これら図１〜図４を参照してデュアルモード対応移動局１が符号分割多元接続用基地局３の通信状態を調査する基地局モニタ動作について説明する。尚、図４に示す処理はデュアルモード対応移動局１のコンピュータが記録媒体１９のプログラムを実行することで実現される。
【００６２】
はじめに、制御部１７は基地局モニタ開始コマンドを発信し（図４ステップＳ１）、ＧＰＳ受信機１６によってデュアルモード対応移動局１の現在位置を表す緯度・経度情報を取得する（図４ステップＳ２，Ｓ３）。
【００６３】
制御部１７は取得した緯度・経度情報に基づいてデータベース１８を検索し（図４ステップＳ４）、取得した緯度・経度情報で示される自端末の近傍に符号分割多元接続用基地局３が存在するかどうかを確認する（図４ステップＳ５）。
【００６４】
デュアルモード対応移動局１の近傍に符号分割多元接続用基地局３が確認された場合、制御部１７はデータベース１８に格納されている符号分割多元接続用基地局３が通信に用いる信号を拡散する際に用いる拡散符号情報を取出すとともに（図４ステップＳ６）、符号分割多元接続通信機１３を起動し（図４ステップＳ７）、データベース１８から取出した拡散符号情報を符号分割多元接続通信機１３に設定し、符号分割多元接続通信機１３に符号分割多元接続用基地局３の通信状態を調査させる（図４ステップＳ８）。
【００６５】
デュアルモード対応移動局１は通信状態を調査した結果、待ち受け動作を実施している時分割多元接続用基地局２の通信状態よりも調査した符号分割多元接続用基地局３の通信状態のほうが良好の場合（図４ステップＳ９，Ｓ１０）、時分割多元接続用基地局２との待ち受け動作から調査した符号分割多元接続用基地局３との待ち受け動作に切換える（図４ステップＳ１１）。
【００６６】
これに対し、デュアルモード対応移動局１の近傍に符号分割多元接続用基地局３が確認されなかった場合（図４ステップＳ５）、デュアルモード移動局１は基地局モニタ動作を実施せず、時分割多元接続用基地局２との待ち受け動作を継続する（図４ステップＳ１２）。
【００６７】
このように、本実施例では、デュアルモード対応移動局１が時分割多元接続通信方式を用いた時分割多元接続用基地局２と待ち受け動作をしている最中に、ＧＰＳ受信機１６を用いてデュアルモード対応移動局１の現在位置の緯度・経度情報と算出し、それを基にデータベース１８に格納されている符号分割多元接続用基地局３の緯度・経度情報を検索し、デュアルモード対応移動局１が符号分割多元接続用基地局３の通信状態を調査する基地局モニタ動作を開始する前に、予め自端末の近傍に符号分割多元接続用基地局３が存在するかどうかを調査し、自端末の近傍に符号分割多元接続用基地局３が存在している場合、データベース１８に格納されている拡散符号情報を、基地局モニタ動作に用いることで、通常、符号分割多元接続通信方式で必要となる信号のスペクトラムを拡散する際に用いる拡散符号の相関計算を省略することができるので、デュアルモード対応移動局１の近傍に存在する符号分割多元接続用基地局３の通信状態を調査する基地局モニタ動作を短時間で実施することができる。
【００６８】
【発明の効果】
以上説明したように本発明は、時分割多元接続方式を用いた第１の基地局と、符号分割多元接続方式を用いた第２の基地局との間で通信するために時分割多元接続方式の第１の通信手段と符号分割多元接続方式の第２の通信手段とを含むデュアルモード対応移動局において、自端末が第１の基地局との間で待ち受け動作を実施している時に自端末近傍の第２の基地局を検索し、その検索された第２の基地局の通信状態を検出することによって、時分割多元接続通信方式を用いた基地局との待ち受け動作中に短時間内で最も通信状態の良好な符号分割多元接続通信方式を用いた基地局の検索及び検出することができるという効果が得られる。
【図面の簡単な説明】
【図１】本発明の一実施例による移動通信システムの構成を示すブロック図である。
【図２】図１のデュアルモード対応移動局の構成を示すブロック図である。
【図３】図１のデータベースの構成例を示す図である。
【図４】図１のデュアルモード対応移動局の動作を示すフローチャートである。
【図５】従来のデュアルモード対応移動局の構成を示すブロック図である。
【符号の説明】
１　デュアルモード対応移動局
２　時分割多元接続用基地局
３　符号分割多元接続用基地局
４　ＧＰＳ衛星局
１１　デュアルモード対応アンテナ
１２　アンテナ切換器
１３　符号分割多元接続通信機
１４　時分割多元接続通信機
１５　ＧＰＳ受信用アンテナ
１６　ＧＰＳ受信機
１７　制御部
１８　データベース
１９　記録媒体
【図１】
2004032337.tif 000003
【図２】
2004032337.tif 000004
【図３】
2004032337.tif 000005
【図４】
2004032337.tif 000006
【図５】
2004032337.tif 000007